(57)【要約】【課題】入力端子１２，１３と，夫々の入力端子に対応した出力端子１０，１１を筐体に備えたテレビ端子１において，上記複数の入出力間の伝送経路の内，少なくとも１つの経路に単方向・双方向の切替手段を備える。【解決手段】電子回路を収納するための電子回路収納室３，６を有する筐体２と，筐体２の前側面に相互に上下方向に離間させて配置された２つの出力端子１０，１１と，筐体の後側に相互に左右方向に配置された２つの入力端子１２，１３とを備え，上記電子回路収納室３，６に収納された電子回路１５，１８は，上記入力端子の一方と上記出力端子の一方とを接続する経路と，上記入力端子の他方と上記出力端子の他方とを接続する経路の，２系統の経路が形成されると共に，当該２系統の経路の内，一方の系統の接続経路には，入力端子と出力端子との間に，双方向，単方向切替回路３０を具備させた。【選択図】  図１
2004320548.tif 000002
【特許請求の範囲】
【請求項１】
電子回路を収納するためのシールド構造に形成された空間を有する筐体と，筐体の前側面に相互に上下方向に離間させて配置された複数の出力端子と，筐体の後側にあって上記出力端子の配置方向と直交する方向に，相互に離間させて配置された複数の入力端子とを備えるテレビ端子において，
上記空間に収納された電子回路は，夫々の入力端子と出力端子とを１対１で対応させて接続する複数の接続経路が形成され，
当該複数の接続経路の内，少なくとも１つの接続経路には，入力端子と出力端子との間に，ＣＡＴＶシステムにおける上り信号阻止用フィルターを備えたことを特徴としたテレビ端子。
【請求項２】
上記接続経路の内，少なくとも１つの接続経路には，上記入力端子と出力端子との間に，ＣＡＴＶシステムにおける双方向信号用回線と，上り信号用阻止フィルターを備えた下り信号用回線と，上記双方向信号用回線と下り信号用回線とを切替える切替手段を設けたことを特徴とした請求項１に記載のテレビ端子。
【請求項３】
上記筐体には，筐体の前側面に相互に上下方向に離間させて配置された２つの出力端子と，筐体の後側にあって上記出力端子の配置方向と直交する方向に，相互に左右方向に配置された２つの入力端子とを備え，
上記空間に収納された電子回路は，上記入力端子の一方と上記出力端子の一方とを接続する経路と，上記入力端子の他方と上記出力端子の他方とを接続する経路との，２つの接続経路からなり，
上記接続経路の内，一方の接続経路には，上記入力端子と出力端子との間に，ＣＡＴＶシステムにおける双方向信号用回線と，上り信号用阻止フィルターを備えた下り信号用回線と，上記双方向信号用回線と下り信号用回線とを切替える切替手段を設けたことを特徴とした請求項２に記載のテレビ端子。
【請求項４】
上記空間に収納された電子回路に備えられている上記切替手段における操作部は，筐体の前側側から操作を可能に表出自在にしてあることを特徴とする請求項２乃至請求項３の何れかに記載のテレビ端子。
【発明の詳細な説明】
【０００１】
【発明の属する技術分野】
本発明は，主にテレビの共同受信施設において使用するテレビ端子に関し，詳しくはその家屋の壁面に埋め込み状に備えたアウトレットボックスに取付けて使用するボックス取付用のテレビ端子に関する。
【０００２】
【従来の技術】
近年において，従来からあるＶＨＦ・ＵＨＦの地上波やＣＳ放送だけでなく，新たにＢＳ・１１０°ＣＳデジタル放送や地上波デジタル放送等から送られる，高画質・高品質な放送がなされるようになり多チャンネル化が進んでいる。こうした背景において，デジタル放送はその特長を最大に楽しむために，上述のデジタル放送波を直接受信する方法が良い。ところが，こうした多衛星からの放送をすべて受信しようとすると，１１０°ＣＳデジタル放送と従来からあるＣＳ放送のＣＳ−ＩＦ帯の伝送周波数帯が重なるため，宅内へ引き込む同軸線は少なくとも２系統必要となる。この場合，宅内のテレビ端子は，テレビ端子を２つ付けるタイプのアウトレットボックスを取付けてテレビ端子を２端子とするか，２入力，２出力の同軸２系統配線用のテレビ端子を取付ける方法があった。
一方で，都市型ＣＡＴＶの普及や住宅等の美観から，従来からの放送は，ＣＡＴＶを利用するケースも増えてきた。更に，ＣＡＴＶに加入すれば，インターネットのブロードバンド接続が可能となる利点があり，この点においてもＣＡＴＶの加入する場合が増えてきた。
このような場合は，自宅への引き込み線は，衛星アンテナからの同軸ケーブルと，ＣＡＴＶ回線からの同軸ケーブルの２条配線となり，宅内のテレビ端子は２端子必要となった。
上述のような同軸ケーブルの２系統の配線例においては，テレビ端子のアウトレットボックスにテレビ端子を２つ付けるタイプの物を取付けるか，（例えば，特許文献参照）アウトレットボックスを２つ設置してテレビ端子を２つにする方法があった。
【０００３】
【特許文献】
特開２００２−２５７２２号公報
【０００４】
【発明が解決しようとする課題】
しかし，従来のアウトレットボックスを２つ設置してテレビ端子を２つ取付ける方法は，壁面の取り付けスペースが広くなくてはいけないし，取付け工事の工数が大幅にかかり，これに伴い工事費が高くなると言った問題があった。
また，公報に示す例では，小型のテレビ端子を２つ取付けて省スペースで２端子を提供できるものであるが，例えば，上述の例のように２端子の内１端子をＣＡＴＶに接続したとすると，この端子から，上記ＣＡＴＶのセンター装置側に流合雑音が流れ込まないよう，上り信号を阻止するための対策が必要となる。
ところが，アウトレットボックス内の限られたスペースにおいて，同軸２系統の配線を行うためには，１つ１つのテレビ端子の大きさが限定され，上述のように，少なくとも１端子側に流合雑音に対する上り信号阻止対策を行うと，テレビ端子が奥行方向に対して大きくなり，従来の例では，一方の側への同軸ケーブルの配線ができないといった問題があった。
そこで本発明においては，上記従来の技術の問題点を解決するためになされたものであり，
その目的は，同軸２系統の配線に適した２端子型のテレビ端子を提供することにある。
他の目的は，同軸２系統の配線に適した，入力端子及び出力端子がケース本体に一体的に形成されたテレビ端子を提供することにある。
他の目的は，相互に干渉し易いような伝送周波数帯域を伝送する，同軸２系統の配線に適したテレビ端子を提供することにある。
他の目的は，同軸２系統配線用の２端子型のテレビ端子において，少なくとも一方の端子には，上り信号阻止対策手段を備えたテレビ端子を提供することにある。
他の目的は，同軸２系統配線用の２端子型のテレビ端子において，少なくとも一方の端子には，上り信号阻止対策手段を備えると共に，当該上り信号阻止対策手段を，切替手段を用いて入り切り自在にしたことを特徴とするテレビ端子を提供することにある。
他の目的は，同軸２系統配線用の２端子型のテレビ端子において，少なくとも一方の端子には，切替手段を用いて入り切り自在にした上り信号阻止対策手段を備えると共に，上記切替手段の操作部をケース本体の表面側側から操作できるようにしたテレビ端子を提供することに有る。
【０００５】
【課題を解決するための手段】
上記課題を解決するために，請求項１の発明は，電子回路を収納するためのシールド構造の空間を有する筐体と，筐体の前側面に相互に上下方向に離間させて配置された複数の出力端子と，筐体の後側にあって上記出力端子の配置方向と直交する方向に，相互に離間させて配置された複数の入力端子とを備えるテレビ端子において，上記空間に収納された電子回路は，夫々の入力端子と出力端子とを１対１で対応させて接続する複数の接続経路が形成され，
当該複数の接続経路の内，少なくとも１つの接続経路には，入力端子と出力端子との間に，ＣＡＴＶシステムにおける上り信号阻止用フィルターを備えさせた。
【０００６】
請求項２の発明は，上記接続経路の内，少なくとも１つの接続経路には，上記入力端子と出力端子との間に，ＣＡＴＶシステムにおける双方向信号用回線と，上り信号用阻止フィルターを備えた下り信号用回線と，上記双方向信号用回線と下り信号用回線とを切替える切替手段を設けた。
【０００７】
請求項３の発明は，上記筐体には，筐体の前側面に相互に上下方向に離間させて配置された２つの出力端子と，筐体の後側にあって上記出力端子の配置方向と直交する方向に，相互に左右方向に配置された２つの入力端子とを備え，上記空間に収納された電子回路は，上記入力端子の一方と上記出力端子の一方とを接続する経路と，上記入力端子の他方と上記出力端子の他方とを接続する経路との，２つの接続経路からなり，上記接続経路の内，一方の接続経路には，上記入力端子と出力端子との間に，ＣＡＴＶシステムにおける双方向信号用回線と，上り信号用阻止フィルターを備えた下り信号用回線と，上記双方向信号用回線と下り信号用回線とを切替える切替手段を設けた。
【０００８】
請求項４の発明は，電子回路収容室に収納された電子回路に備えられている上記切替手段における操作部は，筐体の前側側から操作を可能に表出自在に構成される。
【０００９】
【発明の実施の形態】
以下に，本発明を具体化した実施形態例を，図面を基に詳細に説明する。
図１（Ａ）は正面図，（Ｂ）Ａ−Ａ位置断面図。図２は図１（Ｂ）のＢ−Ｂ位置断面図であって，テレビ端子における電子回路収納室６の裏蓋を除いた状態を示す図。図３は上方向から見た電子回路収納室３の上蓋を除いた状態を示す図。図４（Ａ）は結線図，（Ｂ）はフィルター２０の回路ブロック図である。
図５は他の実施例であり，（Ａ）は正面図，（Ｂ）Ｃ−Ｃ位置断面図。図６は図５（Ｂ）のＤ−Ｄ位置断面図であって，テレビ端子における電子回路収納室６の裏蓋を除いた状態を示す図。図７は図５の実施例において，上方向から見た電子回路収納室３の上蓋を除いた状態を示す図。図８（Ａ）は結線図，（Ｂ）は単方向・双方向切替回路３０の回路ブロック図である。
【００１０】
まず図１乃至図４に示す実施例について説明する。１００は周知のアウトレットボックスであり，１は当該アウトレットボックス１００の内部に収納した状態の埋め込み型もしくは露出型のテレビ端子を示す。
上記テレビ端子１は筐体２を有し，当該筐体２には電子回路を収納するためのシールド構造の空間が形成されている。この空間は，後側方向に長く空間を有する第１の電子回路収納室３と，前側面に平行方向に長く空間を有する第２の電子回路収納室６とを備えている。更に，この実施例では上記筐体２の前側面に２つの出力端子１０，１１と，空間の後側に２つの入力端子１２，１３を備えさせてある。
【００１１】
上記筐体２において，２ａは基体であり，通常周知のダイカスト製法によって一体的に塑性的に成形されており，上記出力端子１０，１１は，この基体２ａの前側面に付設されている。上記電子回路収納室３，６と入力端子１２，１３は，この基体２ａの後側に敷設されている。
【００１２】
次に上記筐体２について更に詳しく説明する。筐体２の後側の上方寄りに設けられている第１の電子回路収納室３は，上記基体２ａと一体材であるアルミ材を用いて，上側方向を開口した箱状に形成されており，上記第１の電子回路収納室３の開口部３ａに着脱自在にした導電性を備えた材料で形成されている上蓋５とでもってシールド構造とし，第１の電子回路収納３の内部に空間４を形成している。
次に，上記基体２ａの後側に設けられている第２の電子回路収納室６は，筐体２の背面側を取り囲むような大きさで，上記基体２ａと一体材であるアルミ材を用いて，筐体２の後側方向を開口した箱状に形成されており，上記第２の電子回路収納室６の開口部６ａに着脱自在にした導電性を備えた材料で形成されている後蓋８とでもってシールド構造とし，第２の電子回路収納室６の内部に空間７を形成している。
これらの電子回路収納室３，６の内面には，後述する電子回路である基板を固定する周知の基板支持用の段部９が，必要に応じて基体２ａと一体材で形成されている。
【００１３】
上記出力端子１０，１１は筐体２の前側面に相互に上下方向に離間させて配置してある。この出力端子１０，１１は，例えば筐体２と一体材であるアルミ材を用いて，前側面方向に突出形成された中空の外部導体１０ａ，１１ａと，これらの外部導体に挿入される中空の絶縁体と，この絶縁体の中心部に配置された中心導体１０ｂ，１１ｂとから構成されている。この出力端子１０，１１は通常，接栓もしくはコネクターと呼ばれるものであり，実施例に限定されず別体形成してある接栓を装着利用してもよい。
【００１４】
上記入力端子１２，１３は筐体２の後側，詳しく言えば，上記第２の電子回路収納室６の後側の位置にあって，基体２ａにつながる上記第１の電子回路収納室３の底壁３ｂから下方に向けて一体に突出成形されている中空の外部導体１２ａ，１３ａと，これらの外部導体に挿入される中空の絶縁体と，この絶縁体の中心部に配置された中心導体１２ｂ，１３ｂとから構成されている。
この入力端子１２，１３は，相互に左右方向に大きく離間させて配置すると共に，上記第２の電気回路収納室６の後側における空間を大きくするような位置に配置され，この入力端子１２，１３に対して通常行われるケーブル接続作業に支障が無いように形成されている。
この入力端子１２，１３は通常，接栓もしくはコネクターと呼ばれるものであり，実施例に限定されず別体形成してある接栓を装着利用してもよいことはいうまでも無い。
【００１５】
この実施例では，一方の入力端子１２は，筐体２の上方位置にある出力端子１０に対して，上記第１の電子回路収納室３に収納された電子回路１５と当該電子回路１５と出力端子１０の中心導体１０ｂを接続する導線１４とを介して接続されている。
他方の入力端子１３は，筐体２の下方位置にある出力端子１１に対して，上記第１の電子回路収納室３に収納された電子回路１５と，上記第２の電気回路収納室６に収納された電子回路１８とを介して接続されている。
尚，本発明の実施例における入力端子１２，１３と出力端子１０，１１との接続の組合せは一例であり，この実施例に限定されるものではない。
【００１６】
１５は第１の電子回路収納室３に収納された電子回路を示し，必要に応じて要求される高周波特性に応じた電子回路が配設してある。この電子回路１５の実施例では，入力端子１２と出力端子１０とは，電子回路１５に形成された伝送経路１５ａと，当該伝送経路１５ａと出力端子１０の中心導体１０ｂを接続する導線１４とを介して接続されるよう形成されている。加えて，電子回路１５には，入力端子１３から電子回路１８に向けて信号を送る為の伝送線路１５ｂが形成されている。
電子回路１５には，後述するプリント基板の突出部１８ａとの連結を行う透孔２５ａを有する連結部２５を備えており，当該連結部２５において，電子回路１５に形成された伝送線路１５ｂの出力端と，電子回路１８に形成された伝送線路１８ｃの信号線との接続を行うと共に，電子回路１５のアースと電子回路１８とのアースの接続が行われる。
【００１７】
１８は第２の電子回路収納室６に収納された電子回路を示し，必要に応じて要求される高周波特性に応じた電子回路が配設してある。この実施例では，電子回路の例であるプリント基板は突出部１８ａと本体部１８ｂとからなり，突出部１８ａは上記電子回路１５の透孔２５ａに貫通交叉する位置において半田等の接続手段で信号線及びアースの夫々が接続される。本体部１８ｂにはＣＡＴＶシステムにおける上り信号阻止用フィルター２０を備えさせている。
上記フィルター２０は，例えば，通過帯域が７０〜２６００ＭＨｚ（７０ＭＨｚ以上）であって，阻止周波数帯域を５５ＭＨｚ以下とするハイパスフィルター２０ａと，通過帯域が１０〜５５ＭＨｚであって，阻止周波数帯域７０ＭＨｚ以上とするローパスフィルター２０ｂと７５Ωの抵抗２０ｃとから構成されている。
こうして，入力端子１３と出力端子１１とは，電子回路１５に形成された伝送線路１５ｃと電子回路１８の伝送経路１８ｃとフィルター２０とを介して接続されることになる。
図４にこの実施例の結線図を示す。
【００１８】
次に第２の実施形態として図５乃至図８を参照して説明する。尚，以下の説明では，上記第１の実施形態のテレビ端子１と同様の構成要素については同一符号を付与し，詳細な説明は省略する。
この実施例は，入力端子１２，１３と出力端子１０，１１とを直接的に接続したり，或いは，それらの間に上記フィルター２０が介在する状態に接続したりする切替手段を備えさせており，この切替操作によって双方向の伝送と，単方向の伝送とを切替可能とするものである。
【００１９】
本体部１８には単方向，双方向切替回路３０が備えさせて有る。この切替回路３０には，切替手段としてのスライドスイッチ３０ａとフィルター２０とから構成されており，例えばスイッチ３０ａを一方の側に切替えれば，入力端子１３と出力端子１１とを直接的に接続し，例えば１０〜２６００ＭＨｚ（１０ＭＨｚ以上）を通過させる。スイッチ３０ａを他方の側に切替えれば，入力端子１３と出力端子１１との間に，例えばＣＡＴＶシステムにおける上り信号阻止用フィルター２０が介在する状態に接続し，７０〜２６００ＭＨｚ（７０ＭＨｚ以上）を通過させる。
このスイッチ３０ａは，当該スイッチ３０ａの操作部を上記筐体の前側面方向になるように取付けられている。更には，筐体の前側面には，上記操作部に相対抗する位置に操作窓２３が形成されており，筐体の前側面から上記スイッチの操作ができる。
尚，操作窓２３からスイッチの操作部が突出する形で構成された場合のご操作が心配であれば，外部からの操作を可能にする範囲で上記操作部を凹ましても良い。さらには，表面に開閉蓋を付設しても良い。
【００２０】
第１の電子回路収納室３には電子回路１６，１７が収納されている。電子回路１６には，上述の例と同様に必要に応じて要求される高周波特性に応じた電子回路が配設してある。この実施例では，入力端子１２と接続する伝送経路１６ａが形成されており，当該伝送線路１６ａの出力端と出力端子（例えば出力端子１０）の中心導体１０ｂとは導線１４でもって接続されている。
さらに，入力端子１３から電子回路１８に向けて信号を送る為の伝送線路１７ａを形成した電子回路１７が配設してある。この電子回路１７と，第２の電子回路収納室６に収納された電子回路１８とは，例えば同軸ケーブル２２でもって接続されている。これによって，伝送線路１６ａと伝送線路１７ａとの距離が広くなると共に，同軸ケーブル２２の外皮導体とでもって，伝送線間のアイソレーションがより良好な特性が得られる。
【００２１】
１８は第２の電子回路収納室６に収納された電子回路を示し，必要に応じて要求される高周波特性に応じた電子回路が配設してある。この電子回路１８には上述の如く，入力端子と出力端子とを直接的に接続したり，或いは，それらの間に上記フィルターが介在する状態に接続したりする単方向，双方向切替回路３０を備えさせて，この切替操作によって双方向の伝送と，単方向の伝送とを切替可能とするのも良いし，ＣＡＴＶシステムにおける上り信号阻止用フィルター２０を備えさせても良い。このようにして，入力端子１３と出力端子１１とは電子回路１７の伝送経路１７ａ，同時ケーブル２２，電子回路１８を介して接続されている。図８にこの実施例の結線図を示す。
以上のように，２入力２出力端子のテレビ端子の，２系統の伝送経路の内，一方の伝送経路には，上り信号阻止用フィルター２０を備えさせるか，単方向，双方向切替回路３０を備えさせるかすることで，当該テレビ端子を用いることでＣＡＴＶシステムにおける上り流合雑音に対応できるのである。
尚，本発明は上記実施の形態に限定されるものではなく，本発明の趣旨を逸脱しない範囲で各部を適宜に変更して実施することも可能である．
【００２２】
【発明の効果】
以上詳述したように，本願の発明によれば，電子回路を収納するための空間を有する筐体と，筐体の前側面に相互に上下方向に離間させて配置された複数の出力端子と，筐体の後側にあって上記出力端子の配置方向と直交する方向に，相互に離間させて配置された複数の入力端子とを備えるテレビ端子において，上記空間はシールド構造に形成され，当該空間には夫々の入力端子と出力端子とを１対１で対応させて接続する複数の接続経路が形成された電子回路を収納したので，相互に干渉し易いような中間周波数帯域を持った信号であって，特にディジタル放送に適した同軸による複数系統の配線を省スペースで行うことができる。また当該複数の接続経路の内，少なくとも１つの接続経路には，入力端子と出力端子との間に，ＣＡＴＶシステムにおける上り信号阻止用フィルターを備えるように構成したので，上記衛星放送の配線だけでなくＣＡＴＶシステムに接続しても流合雑音に対する対策がなされているので，汎用性の高いテレビ端子が提供できる。
【００２３】
また，複数の接続経路の内，少なくとも１つの接続経路には，上記入力端子と出力端子との間に，ＣＡＴＶシステムにおける双方向信号用回線と，上り信号用阻止フィルターを備えた下り信号用回線と，上記双方向信号用回線と下り信号用回線とを切替える切替手段を設けたので，少なくとも同軸による複数系統の配線の内，少なくとも１系統は，ＣＡＴＶセンター装置側とのデータの送受を行うケーブルモデム等の情報端末を接続する場合や接続しない場合の何れの状態にも対応できるテレビ端子が提供できる。加えて筐体の前側面側から切替手段の操作ができるるように構成したので取付後の接続の状況によっては，設置状態のままで切替手段の操作が可能であり，利便性の高いテレビ端子が提供できる。
【図面の簡単な説明】
【図１】（Ａ）は正面図，（Ｂ）Ａ−Ａ位置断面図。
【図２】図１（Ｂ）のＢ−Ｂ位置断面図であって，テレビ端子における電子回路収納室６の裏蓋を除いた状態を示す図。
【図３】上方向から見た電子回路収納室３の上蓋を除いた状態を示す図。
【図４】（Ａ）は結線図，（Ｂ）はフィルター２０の回路ブロック図である。
【図５】他の実施例であり，（Ａ）は正面図，（Ｂ）Ｃ−Ｃ位置断面図。
【図６】図５（Ｂ）のＤ−Ｄ位置断面図であって，テレビ端子における電子回路収納室６の裏蓋を除いた状態を示す図。
【図７】図５の実施例において，上方向から見た電子回路収納室３の上蓋を除いた状態を示す図。
【図８】図５の実施例の（Ａ）は結線図，（Ｂ）はフィルター３０の回路ブロック図である。
【符号の説明】
１…テレビ端子，２…筐体，２ａ…基体，３…第１の電子回路収納室，３ａ…開口部，３ｂ…底壁，４…空間，５…上蓋，６…第２の電子回路収納室，６ａ…開口部，７…空間，８…後蓋，９…段部，１０，１１…出力端子，１０ａ，１１ａ…外部導体，１０ｂ，１１ｂ…中心導体，１２，１３…入力端子，１２ａ，１３ａ…外部導体，１２ｂ，１３ｂ…中心導体，１４…導線，１５，１６，１７…電子回路，１５ａ，１６ａ，１７ａ…伝送経路，１８…電子回路，１８ａ…突出部，１８ｂ…本体部，１８ｃ…伝送線路，２０…上り信号阻止用フィルター，２０ａ…ハイパスフィルター，２０ｂ…ローパスフィルター，２０ｃ…抵抗，２２…同軸ケーブル，２３…操作窓，２５…連結部，２５ａ…透孔，３０…単方向，双方向切替回路，３０ａ…切替手段，１００…アウトレットボックス。
【図１】
2004320548.tif 000003
【図２】
2004320548.tif 000004
【図３】
2004320548.tif 000005
【図４】
2004320548.tif 000006
【図５】
2004320548.tif 000007
【図６】
2004320548.tif 000008
【図７】
2004320548.tif 000009
【図８】
2004320548.tif 000010